(57)【要約】      （修正有）【課題】簡易な構成で介護者が被介護者を乗せた車椅子を階段でリフトアップする作業をアシストする電動力システムを提供する。【解決手段】板に付けたバッテリー８で動作するウインチ１０のドラムに２本のロープ１２を巻きつけ、ロープ片端にカナビラ１を取り付ける。手元の操作スイッチ７を操作することでドラムが回転しロープ１２の巻き上げ下げができる。この主装置を付属の背負いベルト１６で背負いカナビラ１を車椅子のハンドルにつなげ車椅子より１段から２段上の階段に介護者が立ちロープ１２を巻き上げることで車椅子を１段上に引き上げる、その後ウインチ１０を逆回転させロープ１２を緩めながら介護者はさらに１段上の階段に立つ。この作業を繰り返すことで車椅子をリフトアップする。【選択図】図３
0003202219.tif 000002
【実用新案登録請求の範囲】
【請求項１】
バッテリーで動作する電動ウインチを板に固定し  そのウインチのドラム部分に２本のロープを巻きつけ、バッテリーとウインチに電線で接続された電源スイッチ操作にてドラムを回転させることでロープを巻き上げ  又は、緩めることができるシステム  且つ、これを背負うことができる付属の背負いベルトを備え、操作者がこの装置を背負い、ロープの片端を車椅子のハンドルに固定し、電動ウインチを動作させることで操作者が階段で車椅子をリフトアップすることを可能とする特徴を持つシステム。
【考案の詳細な説明】
【技術分野】
【０００１】
この考案は、車椅子に乗っている人を車椅子ごと階段でリフトアップする作業に簡易な電動力システム使用してアシストするシステムに関する。
【背景技術】
【０００２】
車椅子を利用する被介護者としては、一人で歩行が困難で、介護者がいないとベッドから車椅子に移ったり、あるいは車椅子からベッドへ移動することが困難な人が多い。
【０００３】
例えば公共施設等のエレベータが完備された施設では、車椅子に座ったままエレベータに乗って上又は下の階に移動することができる。ところが、エレベータがない場所では、階段を利用して別の階へ移動することになり、自立歩行が難しい車椅子の被介護者は介護者に車椅子に乗ったまま階段を上げてもらわないと移動できない。
【０００４】
しかし、エレベータの無い集合住宅の上層階のような場所に移動させるとなると介護者に体力的負担が増大する  または、複数人の介護者の助けによる運搬が必要になる。そのような体力のある人材や、複数人の介護者を手配するのが困難な場合もある。
【先行技術文献】
【特許文献】
【０００５】
【特許文献１】特開２００９−２６３１３２
【特許文献２】特開２０１２−１９２７７４
【考案の概要】
【考案が解決しようとする課題】
【０００６】
しかしながら、以上の技術によれば、
【特許文献１】の場合  階段自体の構造を変更する必要が発生し  及び、多額の工事費等が発生し集合住宅等では簡単に出来ない。
【特許文献２】の場合  階段の構造を変更する必要はないが昇降装置自体が複雑な機構になり製造費が高価になる、また狭い階段ではその装置自体が入らなかったりする。  そこで、この考案は、集合住宅等の構造物に被介護者を運搬するための設備を取り付けることなく、車椅子自体を複雑に改造することなく、車椅子に複雑な機構を持つ機器を取り付けることなく  介護者の運搬作業をアシストするシステムを提供することを課題とする。
【考案の効果】
【０００７】
本考案によれば、被介護者の体重が介護者の体重より重い場合や、被介護者を引き上げている時に自身の体制を支えきれる体力が介護者に無い場合には利用できないが介護者の体力に合わせて被介護者を選べば  被介護者を引き上げる動作を本装置でアシストし、より少しの力で被介護者を車椅子ごと持ち上げることが可能で介護者の負担を減らすことができる。
【課題を解決するための手段】
【０００８】
上記課題を解決するため、本考案は以下のような手段を有する
本考案は、図１のとおり板６の中央に直流１２Ｖ〜２４Ｖの電力でドラム部分が回転し、被介護者と車椅子１８を足した重量以上を巻き上げる動力を持つウインチ１０がウインチ固定金具４でネジ止め固定されていることを特徴とする。
【０００９】
（２）図１のようにウインチ１０には人の体重と車椅子を足した重量を巻き上げるのに耐えうる繊維を撚ったロープ１２を２本  ウインチ１０のドラム２２の左右から出るように巻き付け固定し、反対側の両ロープ１２の端を輪ができる結びを作り、運搬重量以上の耐過重のある強固なカナビラ１を輪に通す。カナビラ１のサイズは車椅子１８のハンドル部分２１のパイプに入る形状の金属性を使用してあり、板６には2本の金属性アイボルト５を取付けその穴にロープを通してあり、このアイボルト５（ロープが擦れて切れないよう曲面になっている形状）はウインチ動作中にロープ１２が大きくずれることを防止することを特徴とする。
【００１０】
（３）図３のとおり  この主要装置２０は背負い子１５の荷物を載せる側の金具部分に締結され、背負う側には被介護者をリフトアップした時に介護者の背中に圧力が掛かる為、背中への圧力を分散させる目的でクッションシート２取り付けてある事を特徴とする。
【００１１】
（４）ウインチ１０を操作するスイッチ７が設けてあり  スイッチは（ＯＮ）−ＯＦＦ−（ＯＮ）機能がある２極双頭式のトグルスイッチで図２のように結線する  スイッチ７によりウインチ１０の停止、正転、逆転が可能で手をスイッチ７から離すと自動でＯＦＦになる機構である物を使用することを特徴とする。
（５）ウインチ１０、バッテリー８、スイッチ７を結ぶ電線は２線式の電源コード１４を使用しスイッチ７からウインチ１０、スイッチ７からバッテリー８の長さがそれぞれ約２ｍになるように図１のように配置することを特徴とする。
【００１２】
（６）ロープ１２は車椅子１８をリフトアップするとき介護者の脇の下に来るためロープ１２が通る以上の口径があるフレキシブル管３にロープ１２を通しロープ１２が直接介護者に触れることを防ぐことで衣服等を損傷しないようしてあり、背負い子１５は背負いベルト１６で介護者が本装置１９を背負う構成を特徴とする。
【作用】
【００１３】
スイッチ７レバーを正転側に倒し続けるとウインチ１０にロープ１２が巻き上げられ、逆転側に倒し続けると巻き上げられていたロープ１２が緩む動作が行なわれ、スイッチ７のレバーから手を離すとレバーは自動で中間地点に戻りウインチ１０の動作は停止する。
バッテリー残量計測９に付属するバッテリー残量計測スイッチ１１を動作させるとバッテリー残量が表示される。バッテリー残量が低くなったときは充電器等を使用して充電する。
【実施例】
【００１４】
以下、この考案の実施の一例である図面３により説明すると、介護者はバッテリー残量計９にあるバッテリー残量計測スイッチ１１を動作させてバッテリー８の残量が有るか確認する、十分に残量があれば、図４の通りに被介護者を乗せた車椅子１８の後輪が階段部分に当たるように置く  介護者は本装置を背負いベルト１６を使って背中に背負い、ウインチ１０の右側にあるカナビラ１を図５の様に車椅子１８の右ハンドル部分に掛ける  同様にウインチ１０の左側にあるカナビラ１を左ハンドル部分に掛ける。ロープ１２は介護者の脇の下にくるようにし、それぞれのフレキシブル管３を両脇ではさむ。
【００１５】
介護者はスイッチ７を手に持ち車椅子１８が置いてある階段より１〜２段上に立つ、この時  スイッチ７を操作してロープ１２が軽く張るようにウインチ１０を巻き上げ、車椅子１８の引き上げ時に発生する重みに耐えうるよう介護者は自身の身体の体制をとる。
スイッチ７を操作してロープ１２を巻き上げ車椅子１８を階段の1段上に引き上げる、次に介護者はスイッチ７を操作してロープ１２を巻き緩めながら自身が階段のさらに1段上に立つ、この動作を繰り返しながら階段を上がっていく。途中でバッテリー８の残存容量が無くなったときは充電済みの予備と交換する。
【図面の簡単な説明】
【００１６】
【図１】本装置を背負う構造を除いた主要部分の図
【図２】本装置の電気回路図
【図３】本装置の構成図
【図４】本装置を使って車椅子をリフトアップする動作例を表現した図
【図５】車椅子のハンドルにロープを掛けた図
【符号の説明】
【００１７】
１  カナビラ    ２  クッションシート    ３  フレキシブル管    ４  ウインチ固定金具  ５  アイボルト  ６  板  ７  スイッチ  ８  バッテリー  ９  バッテリー残量計  １０  ウインチ  １１  バッテリー残量計測スイッチ  １２  ロープ  １３  バッテリー固定金具  １４  電源コード  １５  背負い子  １６  背負いベルト  １７  ウインチ電源端子  １８  車椅子  １９  本装置  ２０  主要装置  ２１  車椅子ハンドル
２２  ウインチのドラム
【図１】
0003202219.tif 000003
【図２】
0003202219.tif 000004
【図３】
0003202219.tif 000005
【図４】
0003202219.tif 000006
【図５】
0003202219.tif 000007